(57)【要約】  伝送路の特性が急激に劣化している場合でも良好な回線品質を確保できる無線通信システム及び無線装置を提供する。無線装置は、伝送路の特性を示す状態を測定し、前記状態に基づいて変調方式の切り替え要否を判定し、変調方式の切り替えが必要な場合、前記状態及び前記状態の変化量の値に応じて切り替え後の変調方式を決定し、復調方式を前記切り替え後の変調方式に対応する復調方式へ切り替えると共に、通信相手の無線装置へ送信するフレームに前記切り替え後の変調方式を示す情報を付加する。また無線装置は、前記通信相手の無線装置から受信したフレームから前記切り替え後の変調方式を示す情報を抽出し、抽出した前記情報にしたがって変調方式を前記切り替え後の変調方式へ切り替える。
2010070843.tif 000002
【特許請求の範囲】
【請求項１】
第１の無線装置と、前記第１の無線装置の通信相手である第２の無線装置とを有し、
前記第１の無線装置は、伝送路の特性を示す状態を測定し、前記状態に基づいて変調方式の切り替え要否を判定し、前記変調方式の切り替えが必要な場合、前記状態及び前記状態の変化量の値に応じて切り替え後の変調方式を決定し、復調方式を前記切り替え後の変調方式に対応する復調方式へ切り替えると共に、前記切り替え後の変調方式を示す情報を前記第２の無線装置へ送信し、
前記第２の無線装置は、前記第１の無線装置から受信した前記切り替え後の変調方式を示す情報にしたがって、変調方式を前記切り替え後の変調方式へ切り替える無線通信システム。
【請求項２】
前記第１の無線装置は、前記切り替え後の変調方式を示す情報とともに切り替えタイミングを示す情報を前記第２の無線装置へ送信し、
前記第２の無線装置は、前記第１の無線装置から受信した前記切り替えタイミングを示す情報にしたがって、前記切り替えタイミングで前記変調方式を切り替える請求項１に記載の無線通信システム。
【請求項３】
前記第１の無線装置は、
前記状態の変化量の値が予め設定された基準値以下の場合、前記切り替え後の変調方式を、変調多値数を１段階低下させた変調方式に決定し、前記状態の変化量の値が前記基準値よりも大きい場合、前記切り替え後の変調方式を、変調多値数を２段階以上低下させた変調方式に決定する請求項１又は２に記載の無線通信システム。
【請求項４】
前記第１の無線装置から前記第２の無線装置への送信に用いる変調方式と、前記第２の無線装置から前記第１の無線装置への送信に用いる変調方式とを独立に切り替える請求項１から３のいずれか１項に記載の無線通信システム。
【請求項５】
伝送路の特性を示す状態を測定する状態測定部と、
前記状態測定部で測定した前記状態に基づいて変調方式の切り替え要否を判定し、前記変調方式の切り替えが必要な場合、前記状態及び前記状態の変化量の値に応じて切り替え後の変調方式を決定し、復調方式を前記切り替え後の変調方式に対応する復調方式へ切り替えると共に、通信相手の無線装置へ送信するフレームに前記切り替え後の変調方式を示す情報を付加する変調方式決定部と、
前記通信相手の無線装置から受信したフレームから前記切り替え後の変調方式を示す情報を抽出し、抽出した前記情報にしたがって変調方式を前記切り替え後の変調方式へ切り替える変調方式制御部と
を有する無線装置。
【請求項６】
前記変調方式決定部は、前記通信相手の無線装置へ送信する前記フレームに対して、前記切り替え後の変調方式を示す情報とともに切り替えタイミングを示す情報を付加し、
前記変調方式制御部は、前記通信相手の無線装置から受信した切り替えタイミングを示す情報にしたがって、前記切り替えタイミングで前記変調方式を切り替える請求項５に記載の無線装置。
【請求項７】
前記切り替えタイミングは、前記無線装置と前記通信相手の無線装置との間で前記復調方式および前記変調方式の切り替えを同期させるためのタイミングである請求項６に記載の無線装置。
【請求項８】
前記変調方式決定部は、
前記状態の変化量の値が予め設定された基準値以下の場合、前記切り替え後の変調方式を、変調多値数を１段階低下させた変調方式に決定し、前記状態の変化量の値が前記基準値よりも大きい場合、前記切り替え後の変調方式を、変調多値数を２段階以上低下させた変調方式に決定する請求項５から７のいずれか１項に記載の無線装置。
【請求項９】
前記伝送路の特性を示す状態は、無線信号の受信レベルである請求項５から８のいずれか１項に記載の無線装置。
【請求項１０】
前記伝送路の特性を示す状態は、無線信号の所定時間当たりのシンドロームエラー数である請求項５から８のいずれか１項に記載の無線装置。
【請求項１１】
伝送路の特性を示す状態を測定し、
前記状態に基づいて変調方式の切り替え要否を判定し、
前記変調方式の切り替えが必要な場合、前記状態及び前記状態の変化量の値に応じて切り替え後の変調方式を決定し、復調方式を前記切り替え後の変調方式に対応する復調方式へ切り替えると共に、前記切り替え後の変調方式を示す情報を通信相手の無線装置へ送信し、
前記通信相手の無線装置から前記切り替え後の変調方式を示す情報を受信すると、変調方式を前記切り替え後の変調方式へ切り替える適応変調方法。
【請求項１２】
前記切り替え後の変調方式を示す情報とともに切り替えタイミングを示す情報を前記通信相手の無線装置へ送信し、
前記通信相手の無線装置から前記切り替えタイミングを示す情報を受信すると、前記切り替えタイミングで前記変調方式を切り替える請求項１１に記載の適応変調方法。
【請求項１３】
前記状態の変化量の値が予め設定された基準値以下の場合、前記切り替え後の変調方式を、変調多値数を１段階低下させた変調方式に決定し、
前記状態が前記基準値よりも大きい場合、前記切り替え後の変調方式を、変調多値数を２段階以上低下させた変調方式に決定する請求項１１又は１２に記載の適応変調方法。
【発明の詳細な説明】
【技術分野】
【０００１】
本発明は無線信号を送受信する無線通信システムおよび無線装置に関する。
【背景技術】
【０００２】
近年のディジタルマイクロ波無線通信システムでは、周波数利用効率が良好であることから変調方式に直交振幅変調（ＱＡＭ：Quadrature Amplitude Modulation）方式が採用され、さらに、伝送路の状態に応じて適応的に変調多値数を変化させる技術が用いられる（例えば、特許文献１参照）。【０００３】
この特許文献１に記載されたディジタルマイクロ波無線通信システムでは、無線信号を受信した無線装置が受信レベルを測定し、その受信レベルに応じて変調多値数の切り替え要否を判定し、切り替えが必要な場合は所要の変調多値数を通信相手の無線装置へ通知し、それぞれの無線装置で変調多値数を切り替えている。
【先行技術文献】
【特許文献】
【０００４】
【特許文献１】特開２００７−２２１３５７号公報
【発明の概要】
【発明が解決しようとする課題】
【０００５】
上述した特許文献１の無線通信システムでは、測定時点における受信レベルの値から所要の変調多値数を決定する。このため、例えば伝送路の特性が降雨減衰等に起因して急激に劣化している場合、伝送路の状態に適した変調多値数への切り替えに遅れが生じ、充分な回線品質を確保できないことがある。【０００６】
また、特許文献１に記載の無線通信システムでは、無線信号を送受信している２つの無線装置のうち、一方の無線装置でのみ受信レベルを監視している。このため、該一方の無線装置から通信相手である他方の無線装置へ変調多値数を通知する場合、その伝送路の特性がフェージング等に起因して劣化していると、変調多値数が他方の無線装置へ通知されずに変調方式を切り替えることができず、良好な回線品質を確保できないことがある。【０００７】
本発明は上記したような技術が有する問題点を解決するためになされたものであり、伝送路の特性が急激に劣化している場合でも良好な回線品質を確保できる無線通信システム及び無線装置を提供することを目的とする。
【課題を解決するための手段】
【０００８】
上記目的を達成するために、本発明の無線通信システムは、第１の無線装置と、前記第１の無線装置の通信相手である第２の無線装置とを有し、前記第１の無線装置は、伝送路の特性を示す状態を測定し、前記状態に基づいて変調方式の切り替え要否を判定し、前記変調方式の切り替えが必要な場合、前記状態及び前記状態の変化量の値に応じて切り替え後の変調方式を決定し、復調方式を前記切り替え後の変調方式に対応する復調方式へ切り替えると共に、前記切り替え後の変調方式を示す情報を前記第２の無線装置へ送信し、前記第２の無線装置は、前記第１の無線装置から受信した前記切り替え後の変調方式を示す情報にしたがって、変調方式を前記切り替え後の変調方式へ切り替える。【０００９】
また、本発明の無線装置は、伝送路の特性を示す状態を測定する状態測定部と、前記状態測定部で測定した前記状態に基づいて変調方式の切り替え要否を判定し、前記変調方式の切り替えが必要な場合、前記状態及び前記状態の変化量の値に応じて切り替え後の変調方式を決定し、復調方式を前記切り替え後の変調方式に対応する復調方式へ切り替えると共に、通信相手の無線装置へ送信するフレームに前記切り替え後の変調方式を示す情報を付加する変調方式決定部と、前記通信相手の無線装置から受信したフレームから前記切り替え後の変調方式を示す情報を抽出し、抽出した前記情報にしたがって変調方式を前記切り替え後の変調方式へ切り替える変調方式制御部とを有する。【００１０】
また、本発明の適応変調方法では、伝送路の特性を示す状態を測定し、前記状態に基づいて変調方式の切り替え要否を判定し、前記変調方式の切り替えが必要な場合、前記状態及び前記状態の変化量の値に応じて切り替え後の変調方式を決定し、復調方式を前記切り替え後の変調方式に対応する復調方式へ切り替えると共に、前記切り替え後の変調方式を示す情報を通信相手の無線装置へ送信し、前記通信相手の無線装置から前記切り替え後の変調方式を示す情報を受信すると、変調方式を前記切り替え後の変調方式へ切り替える。
【発明の効果】
【００１１】
本発明では、伝送路の特性が急激に劣化している場合でも良好な回線品質を確保できる。また、変調方式の切り替え判定に用いる受信レベルを下げても（すなわち、所要の受信レベルからのマージン量を減らしても）良好な回線品質を確保できるため、変調方式が同じであっても切り替え判定に用いる受信レベルを下げられ、回線品質を確保しつつ伝搬距離を延ばすことできる。
【図面の簡単な説明】
【００１２】
【図１】本発明の実施形態に係る無線通信システムの一構成例を示すブロック図である。
【図２】図１に示した変調方式決定部において行われる変調方式の決定手順を示すフローチャートである。
【図３】受信レベルに応じて変調方式が切り替わる様子の一例を示す模式図である。
【図４】本発明の実施形態に係る無線通信システムの他の構成例を示すブロック図である。
【発明を実施するための形態】
【００１３】
次に、本発明の実施形態について図面を用いて説明する。
【００１４】
図１は本発明の実施形態に係る無線通信システムの一構成例を示すブロック図である。
【００１５】
本実施形態の無線通信システムは、フレーム形式でデータを送受信する無線装置１，２を備えた構成である。
【００１６】
図１に示すように、無線装置１は、符号化部１１、変調部１２、送信部１３、変調方式制御部１４、受信部２１、復調部２２、復号化部２３、受信レベル測定部２４および変調方式決定部２５を備えている。
【００１７】
また、無線装置２は、符号化部１１１、変調部１１２、送信部１１３、変調方式制御部１１４、受信部１２１、復調部１２２、復号化部１２３、受信レベル測定部１２４および変調方式決定部１２５を備えている。
【００１８】
図１に示す無線装置１及び無線装置２は同様の構成である。したがって、以下では、無線装置１を例にして、無線装置１，２が備える各構成要素について説明する。
【００１９】
符号化部１１は、送信するデータを符号化する。
【００２０】
変調部１２は、符号化部１１で符号化されたデータを、変調方式制御部１４が指定する変調方式で変調して、変調された無線信号を出力する。
【００２１】
送信部１３は、変調部１２で変調された無線信号をアンテナ３経由で送信する。
【００２２】
受信部２１は、無線装置２の送信部１１３から送信された無線信号をアンテナ３経由で受信する。
【００２３】
復調部２２は、変調方式決定部２５で決定した変調方式にしたがって、受信部２１で受信した無線信号を、該変調方式に対応する復調方式で復調し、復調された信号を出力する。
【００２４】
復号化部２３は、復調部２２で復調された信号を復号する。
【００２５】
受信レベル測定部２４は、復調部２２で復調された信号に基づいて、受信した信号の受信レベルを測定する。
【００２６】
変調方式決定部２５は、受信レベル測定部２４で測定された受信レベルに基づいて変調方式の切り替え要否を判断し、変調方式の切り替えが必要な場合は受信レベル及びその変化量の値に応じて最適な変調方式を決定する。変調方式決定部２５は、変調方式を決定すると、復調部２２で用いる復調方式を、該決定した変調方式に対応する復調方式へ切り替えると共に、無線装置２へ送信するフレームに対して切り替え後の変調方式を示す情報及びその切り替えタイミングを示す情報を付加する。
【００２７】
変調方式制御部１４は、無線装置２から無線信号を受信すると、受信したフレームから変調方式を示す情報及びその切り替えタイミングを示す情報をそれぞれ抽出し、該抽出した情報にしたがって変調部１２で用いる変調方式を切り替える。
【００２８】
無線装置２が備える符号化部１１１、変調部１１２、送信部１１３、変調方式制御部１１４、受信部１２１、復調部１２２、復号化部１２３、受信レベル測定部１２４および変調方式決定部１２５、ならびに、アンテナ４も、上記と同様の機能を備えているため、ここではその説明を省略する。
【００２９】
図１に示す無線装置１，２は、周知の電力増幅器、ＬＮＡ（Low Noise Amplifier）、各種の論理回路、Ｄ／Ａ（Digital to Analog）コンバータ、Ａ／Ｄ（Analog to Digital）コンバータ、プログラムにしたがって動作するＣＰＵ（Central Processing Unit）やＤＳＰ（Digital Signal Processor）等を使用して実現される。
【００３０】
以下、無線装置１から無線装置２へデータを送信する場合を例にして、本実施形態の無線通信システムの動作について説明する。
【００３１】
無線装置２は、無線装置１から送信された無線信号を受信部１２１で受信すると、受信した無線信号を復調部１２２で復調する。
【００３２】
受信レベル測定部１２４は、復調部１２２から出力された信号を用いて受信した無線信号の受信レベルを測定し、変調方式決定部１２５に出力する。
【００３３】
変調方式決定部１２５は、受信レベル測定部１２４から受け取った受信レベルの値に基づいて変調方式の切り替え要否を判定すると共に受信レベルの変化量を算出する。変調方式の切り替えが必要な場合、変調方式決定部１２５は、受信レベル及びその変化量の値に応じて切り替え後の変調方式を決定する。変調方式決定部１２５は、変調方式を決定すると、所定のタイミング（すなわち、以下に述べる切り替えタイミング）で、復調部１２２の復調方式を決定した変調方式に対応する復調方式へ切り替える。また、変調方式決定部１２５は、決定した変調方式を通信相手である無線装置１へ通知するため、無線装置２から送信するフレームのヘッダ部に対して、切り替え後の変調方式を示す情報及び送信側と受信側で変調方式および復調方式の切り替えを同期させるための切り替えタイミングを示す情報を付加し、これらの情報が付加されたフレームを無線装置１に送信する。
【００３４】
無線装置１では、変調方式制御部１４が、無線装置２から送信されたフレームのヘッダ部に付加された変調方式を示す情報及び切り替えタイミングを示す情報をそれぞれ抽出し、該抽出した情報にしたがって指定されたタイミングで、変調部１２の変調方式を指定された方式へ切り替える。
【００３５】
同様に、無線装置１では、変調方式決定部２５が、受信レベル及びその変化量に基づいて変調方式を決定し、復調部２２の復調方式を、決定した変調方式に対応する復調方式へ切り替えると共に、無線装置２へ送信するフレームに対して変調方式を示す情報及び切り替えタイミングを示す情報を付加して送信する。この場合、無線装置２は、無線装置１から受信したフレームから変調方式を示す情報及び切り替えタイミングを示す情報を抽出し、該抽出した情報にしたがって変調部１２の変調方式を指定されたタイミングで指定された変調方式に切り替える。
【００３６】
本実施形態の無線通信システムが備える無線装置１，２は、受信レベルをそれぞれ測定し、受信レベル及びその変化量に応じて、無線装置１から無線装置２への送信に用いる変調方式、及び無線装置２から無線装置１への送信に用いる変調方式をそれぞれ独立に切り替える。すなわち、本実施形態の無線装置１，２は、送信と受信とで異なる変調方式を用いることが可能な構成である。
【００３７】
次に、図１に示した変調方式決定部において行われる変調方式の決定方法について図２および図３を用いて説明する。
【００３８】
図２は図１に示した変調方式決定部において行われる変調方式の決定手順を示すフローチャートである。また、図３は受信レベルに応じて変調方式が切り替わる様子の一例を示す模式図である。
【００３９】
なお、以下では無線装置２が備える変調方式決定部１２５を例にして変調方式の決定方法を説明するが、無線装置１が備える変調方式決定部２５も同様の手順で変調方式を決定する。
【００４０】
また、以下では受信レベル及びその変化量に応じてＱＡＭ方式の変調多値数を切り替える例で説明するが、変調方式にはＢＰＳＫ（Binary Phase Shift Keying）方式やＱＰＳＫ（Quadrature Phase Shift Keying）方式も併用してよい。通常、所定の回線品質を確保するのに必要な各変調方式の受信レベルは、低い方からＢＰＳＫ、ＱＰＳＫ、ＱＡＭの順であり、ＱＡＭ方式では変調多値数が少ないほど所要の受信レベルが低くて済む。
【００４１】
まず、変調方式決定部１２５は、受信レベル測定部１２４から測定した受信レベルの値Ｐrを受け取ると（ステップＳ１）、該受信レベルの値Ｐrと現在の変調方式Ｍで必要な受信レベルの値Ｐrmとを比較し、ＰrとＰrmの差αｔを算出する（ステップＳ２）。
【００４２】
次に、変調方式決定部１２５は、現在の変調方式Ｍで必要な受信レベルに対するマージン判定を行う（ステップＳ３）。マージン判定には、上記αt、並びに変調方式毎に予め設定された値γおよびβを用いる。
【００４３】
ここで、γは、受信レベルが充分に高いために変調多値数を増やすことができるか否かの判定に用いる指標値であり、下記の値を用いる。
【００４４】
γ＝Ｐrm+1−Ｐrm＋δ  …  （δ：マージン量）
Ｐrm+1は、変調多値数を１段階増やした場合（例えば、現在の変調方式が６４ＱＡＭの場合は１２８ＱＡＭ）に必要な受信レベルを示している。
【００４５】
βは、受信レベルが低いために、変調多値数を低下させるべきか否かの判定に用いる指標値である。
【００４６】
すなわち、変調方式決定部１２５は、ＰrとＰrmの差αtがβより高いか否かを判定するとともに、ＰrとＰrmの差αtがＰrm+1−Ｐrm＋δ（つまり、γ）より低いか否かを判定する（図３のＦ）。
【００４７】
ここで、ＰrとＰrmの差αtがγ以上の場合（ステップＳ４）、現在の変調方式よりも変調多値数を１段階増加させても（例えば、現在の変調方式が６４ＱＡＭの場合は１２８ＱＡＭ）良好な回線品質を確保できる。このため、変調方式決定部１２５は変調多値数を１段階大きな値に変更する。
【００４８】
但し、変調方式決定部１２５は、所定の処理サイクル毎にＮ回連続してＰrとＰrmの差αtがγ以上であるときに変調多値数を増加させる（図３のＢ）。なお、Ｎは予め設定した正の整数とする。このような処理を実行することで、回線の状態が不安定な場合に、変調多値数の切り替え処理と変調多値数を切り替えられた値から元の値に戻す処理とを繰り返すことが防止される。変調方式決定部１２５は、ＰrとＰrmの差αtがγ以上の場合がＮ回連続しない場合は、現在の変調方式を維持する（図３のＡ）。
【００４９】
変調方式決定部１２５は、変調多値数の切り替えが完了すると、切り替え後の変調多値数に対応したγの値を用いて上記と同様の処理を繰り返す。このとき、マージン量δも切り替え後の変調多値数に対して最適な値を用いることで、回線の状態が不安定であるために変調多値数の切り替え処理と変調多値数を切り替えられた値から元の値に戻す処理とを繰り返すのを防止する。
【００５０】
ＰrとＰrmの差αtがβとγの間の値にある場合（ステップＳ３）、現在の変調方式は現在の回線状態に最適であるため、変調方式決定部１２５は現在の変調方式をそのまま維持する（図３のＣ）。
【００５１】
ＰrとＰrmの差αtがβ以下の場合（ステップＳ３）、伝送路の特性が劣化しているため現在の変調方式では良好な回線品質を確保できない。そのため、変調方式決定部１２５は変調多値数を低下させる。
【００５２】
βの値は任意の値に設定可能である。βの値を適切に設定することで、変調方式を適切なタイミングで切り替えることが可能であり、また変調多値数を最適な値に切り替えることができる。
【００５３】
さらに、変調方式決定部１２５は、伝送路の特性が急激に劣化しているのか、徐々に劣化しているのかを判断するため、現在の時刻ｔにおけるＰrとＰrmの差αtと、過去の時刻ｔ−ｘにおけるＰrとＰrmの差αt−ｘとの差（変化量）を算出する（ステップＳ５）。
【００５４】
本実施形態では、この変化量が予め設定された基準値ｋ以下であるか否かに応じて変調方式の切替方法を変更する。
【００５５】
この基準値ｋも任意の値に設定可能である。ｋの値を適切に設定することで、変調方式を適切なタイミングで切り替えることが可能であり、また変調多値数を最適な値に切り替えることができる。
【００５６】
変化量がｋ以下の場合、回線品質が徐々に悪化していると判断できるため、変調方式決定部１２５は、現在の変調方式よりも変調多値数を１段階低下させた変調方式（例えば、現在の変調方式が１２８ＱＡＭの場合は６４ＱＡＭ）に変更する（図３のＤ）。
【００５７】
一方、変化量がｋよりも大きい場合、回線品質が急激に悪化していると判断できるため、変調方式決定部１２５は、現在の変調方式よりも変調多値数を２段階低下させた変調方式（例えば、現在の変調方式が１２８ＱＡＭの場合は３２ＱＡＭ）へ変更する（図３のＥ）。
【００５８】
変調多値数を１段階ではなく、２段階低下させる理由について以下に説明する。
【００５９】
上述したように、変調方式決定部１２５が変調方式の切り替えを決定すると、該変調方式決定部１２５を備える無線装置２は、通信相手である無線装置１へ決定した変調方式を通知する必要がある。無線装置２は、送信するフレームに変調方式を示す情報と切り替えタイミングを示す情報とを付加して送信する。無線装置１は、受信したフレームからこれらの情報を抽出し、該情報にしたがって変調部１２の変調方式を指定された方式へ切り替える。そのため、受信レベルを測定してから無線装置１，２で変調方式や復調方式が切り替わるまでに遅れが生じる。
【００６０】
よって、伝送路の特性が急激に劣化している場合、変調多値数を１段階低下させても、切り替え後の受信レベルが該変調方式で必要な受信レベルよりもさらに低くなることがあり、所定の回線品質が得られない可能性がある。
【００６１】
したがって、本実施形態の無線通信システムでは、上記変化量がｋより大きい場合、伝送路の特性が急激に劣化していると判断して、変調多値数を２段階低下させる。このように変調多値数を２段階低下させると、伝送容量は低下するが、良好な回線品質を確保できる。なお、変調多値数を低下させる段階数は２段階に限定されるものでなく、３段階以上であっても良い。
【００６２】
本実施形態では、受信レベル及びその変化量に応じて変調方式を切り替えることで、伝送路の特性が急激に劣化しても良好な回線品質を確保できる。
【００６３】
受信レベルの変化量を用いて変調方式を切り替えない場合、伝送路の特性が急激に劣化しているときでも良好な回線品質を確保するには、変調方式を早めに切り替える必要がある。このため、所要の受信レベルから十分なマージン量を備えた受信レベルを検出した時点で変調方式を切り替える必要がある。
【００６４】
それに対して本実施形態では、変調方式の切り替え判定に用いる受信レベルを下げても（すなわち、所要の受信レベルからのマージン量を減らしても）良好な回線品質を確保できる。したがって、変調方式が同じであっても切り替え判定に用いる受信レベルを下げることができるため、回線品質を確保しつつ伝搬距離を延ばすことできる。
【００６５】
なお、上記説明では、受信レベルを監視することで伝送路特性の状態を把握する例を示した。しかし、伝送路の特性を示す状態は受信レベルに限られるものではない。例えば、誤り訂正手段を持つ無線通信システムでは、図４に示すように、伝送路の特性を示す状態を測定する状態測定部の一形態である上記受信レベル測定部２４、１２４に代えて、無線信号の所定時間当たりのシンドロームエラー数を検出するエラー検出測定部２６、１２６を備える。そして、該測定したシンドロームエラー数及びその変化量を用いて上記と同様に変調方式を切り替えるようにする。これにより、上記と同様の効果を得ることができる。
【００６６】
以上、実施形態を参照して本発明を説明したが、本発明は上述した実施形態に限定されるものではない。本発明の構成や詳細には、本発明の範囲内で当業者が理解し得る様々な変更を加えることができる。
【００６７】
例えば、無線装置を構成する各部の処理を実現するためのプログラムをコンピュータ読み取り可能な記録媒体に記録し、この記録媒体に記録されたプログラムをコンピュータに読み込ませて実行させ、上述した処理を行ってもよい。
【００６８】
この出願は、２００８年１２月１７日に出願された日本出願特願２００８−３２０８６２号を基礎とする優先権を主張し、その開示の全てをここに取り込む。
【産業上の利用可能性】
【００６９】
本発明は無線信号を送受信する無線通信システムおよび無線装置に適用することができる。本発明によれば、伝送路の特性が急激に劣化している場合でも良好な回線品質を確保できる。また、変調方式の切り替え判定に用いる受信レベルを下げても（すなわち、所要の受信レベルからのマージン量を減らしても）良好な回線品質を確保できるため、変調方式が同じであっても切り替え判定に用いる受信レベルを下げられ、回線品質を確保しつつ伝搬距離を延ばすことできる。
【符号の説明】
【００７０】
１、２    無線装置
１１、１１１    符号化部
１２、１１２    変調部
１３、１１３    送信部
１４、１１４    変調方式制御部
２１、１２１    受信部
２２、１２２    復調部
２３、１２３    復号化部
２４、１２４    受信レベル測定部
２５、１２５    変調方式決定部
２６、１２６    エラー検出測定部
【図１】
2010070843.tif 000003
【図２】
2010070843.tif 000004
【図３】
2010070843.tif 000005
【図４】
2010070843.tif 000006
【手続補正書】
【提出日】平成23年6月9日(2011.6.9)
【手続補正１】
【補正対象書類名】特許請求の範囲
【補正対象項目名】全文
【補正方法】変更
【補正の内容】
【特許請求の範囲】
【請求項１】
第１の無線装置と、前記第１の無線装置の通信相手である第２の無線装置とを有し、
前記第１の無線装置は、伝送路の特性を示す状態を測定し、前記状態に基づいて変調方式の切り替え要否を判定し、前記変調方式の切り替えが必要な場合、前記状態及び前記状態の変化量の値に応じて切り替え後の変調方式を決定し、復調方式を前記切り替え後の変調方式に対応する復調方式へ切り替えると共に、前記切り替え後の変調方式を示す情報を前記第２の無線装置へ送信し、
前記第２の無線装置は、前記第１の無線装置から受信した前記切り替え後の変調方式を示す情報にしたがって、変調方式を前記切り替え後の変調方式へ切り替える無線通信システム。
【請求項２】
前記第１の無線装置は、前記切り替え後の変調方式を示す情報とともに切り替えタイミングを示す情報を前記第２の無線装置へ送信し、
前記第２の無線装置は、前記第１の無線装置から受信した前記切り替えタイミングを示す情報にしたがって、前記切り替えタイミングで前記変調方式を切り替える請求項１に記載の無線通信システム。
【請求項３】
前記第１の無線装置は、
前記状態の変化量の値が予め設定された基準値以下の場合、前記切り替え後の変調方式を、変調多値数を１段階低下させた変調方式に決定し、前記状態の変化量の値が前記基準値よりも大きい場合、前記切り替え後の変調方式を、変調多値数を２段階以上低下させた変調方式に決定する請求項１又は２に記載の無線通信システム。
【請求項４】
前記第１の無線装置から前記第２の無線装置への送信に用いる変調方式と、前記第２の無線装置から前記第１の無線装置への送信に用いる変調方式とを独立に切り替える請求項１から３のいずれか１項に記載の無線通信システム。
【請求項５】
伝送路の特性を示す状態を測定する状態測定部と、
前記状態測定部で測定した前記状態に基づいて変調方式の切り替え要否を判定し、前記変調方式の切り替えが必要な場合、前記状態及び前記状態の変化量の値に応じて切り替え後の変調方式を決定し、復調方式を前記切り替え後の変調方式に対応する復調方式へ切り替えると共に、通信相手の無線装置へ送信するフレームに前記切り替え後の変調方式を示す情報を付加する変調方式決定部と、
前記通信相手の無線装置から受信したフレームから前記切り替え後の変調方式を示す情報を抽出し、抽出した前記情報にしたがって変調方式を前記切り替え後の変調方式へ切り替える変調方式制御部と
を有する無線装置。
【請求項６】
前記変調方式決定部は、前記通信相手の無線装置へ送信する前記フレームに対して、前記切り替え後の変調方式を示す情報とともに切り替えタイミングを示す情報を付加し、
前記変調方式制御部は、前記通信相手の無線装置から受信した切り替えタイミングを示す情報にしたがって、前記切り替えタイミングで前記変調方式を切り替える請求項５に記載の無線装置。
【請求項７】
前記切り替えタイミングは、前記無線装置と前記通信相手の無線装置との間で前記復調方式および前記変調方式の切り替えを同期させるためのタイミングである請求項６に記載の無線装置。
【請求項８】
前記変調方式決定部は、
前記状態の変化量の値が予め設定された基準値以下の場合、前記切り替え後の変調方式を、変調多値数を１段階低下させた変調方式に決定し、前記状態の変化量の値が前記基準値よりも大きい場合、前記切り替え後の変調方式を、変調多値数を２段階以上低下させた変調方式に決定する請求項５から７のいずれか１項に記載の無線装置。
【請求項９】
前記伝送路の特性を示す状態は、無線信号の受信レベルである請求項５から８のいずれか１項に記載の無線装置。
【請求項１０】
前記伝送路の特性を示す状態は、無線信号の所定時間当たりのシンドロームエラー数である請求項５から８のいずれか１項に記載の無線装置。
【請求項１１】
伝送路の特性を示す状態を測定し、
前記状態に基づいて変調方式の切り替え要否を判定し、
前記変調方式の切り替えが必要な場合、前記状態及び前記状態の変化量の値に応じて切り替え後の変調方式を決定し、復調方式を前記切り替え後の変調方式に対応する復調方式へ切り替えると共に、前記切り替え後の変調方式を示す情報を通信相手の無線装置へ送信し、
前記通信相手の無線装置から前記切り替え後の変調方式を示す情報を受信すると、変調方式を前記切り替え後の変調方式へ切り替える適応変調方法。
【国際調査報告】
2010070843.tif 000007
2010070843.tif 000008